(57)【特許請求の範囲】
【請求項１】
複数の機器に接続可能なテレビであって、
各前記機器に各前記機器を操作するための情報であって各前記機器の動作の種類を指定する情報である指示を伝達するケーブルをそれぞれに接続可能な複数の端子と、
外部から複数種類の前記指示を受け付ける入力部と、
ディスプレイと、
情報を格納する記憶部とをさらに備え、
前記情報は、
各前記機器を特定するための特定情報と各前記機器の種類とを対応付けた機器情報と、
各前記指示と各前記指示の送信先となる機器の種類とを対応付けた送信先情報とを含み、
前記テレビの動作を制御する制御部をさらに備え、
前記制御部は、
前記機器情報および前記送信先情報を参照して、前記複数の機器の中から、前記入力部が受け付けた前記指示の送信先機器を決定し、
前記ケーブルは、前記テレビと各前記機器との間で相互に制御メッセージを送信可能であり、
前記制御メッセージを前記送信先機器に送信するメッセージ送信部と、
前記制御メッセージを前記複数の機器から受信するメッセージ受信部とをさらに備え、
前記メッセージ送信部は、前記記憶部に格納された情報において、前記指示によって特定される操作に関係する機器の種類に対応付けられたすべての送信先情報に問い合わせメッセージを送信し、
前記制御部は、前記問い合わせメッセージの送信先からの前記メッセージ受信部の受信結果に基づいて、前記送信先機器の中から、前記指示に対応する前記制御メッセージへの応答メッセージを受信した前記送信先機器の前記特定情報を前記ディスプレイに表示させ、
前記ケーブルは、ＨＤＭＩケーブルであって、
前記送信先情報は、前記各指示と対応付けて、前記送信先となる機器がＨＤＭＩ規格の機器かどうかを指定する情報をさらに含み、
前記制御部は、前記機器情報および前記送信先情報を参照して、前記送信先機器を、ＨＤＭＩケーブルで接続された前記機器の中から決定する、テレビ。
【請求項２】
前記制御部は、前記ディスプレイに、前記送信先機器を選択可能に表示させる、請求項１に記載のテレビ。
【発明の詳細な説明】
【技術分野】
【０００１】
本発明は、複数の機器に接続可能なテレビに関し、特に、接続された機器に動作指示を送信可能なテレビに関する。
【背景技術】
【０００２】
近年、テレビなどのＡＶ（ａｕｄｉｏ−ｖｉｓｕａｌ）機器に、多くの機器、例えば、録画機器や再生機器が接続されるようになってきている。
【０００３】
接続された複数の機器から、ユーザが所望する機器を選択制御できると、ユーザによる取り扱いが便利であり、従来、このような選択制御に関する技術がいくつか提案されている。
【０００４】
特許文献１（特開２００２−１９１０８２号公報）には、複数のＡＶ機器を、複数の操作子にそれぞれ対応させて登録し、操作された操作子に対応するＡＶ機器を制御する方法が開示されている。
【０００５】
特許文献２（特開２０００−０４１１９６号公報）には、映像入力端子のピン検出と信号検出により、テレビジョン受像機と外部接続機器との接続状況および外部接続機器の電源投入状態を認識し、これらをオンスクリーン表示、あるいは、これらに基づいて、選択できる入力系統の限定などを行なうテレビジョン受像機が開示されている。
【特許文献１】特開２００２−１９１０８２号公報
【特許文献２】特開２０００−０４１１９６号公報
【発明の開示】
【発明が解決しようとする課題】
【０００６】
特許文献１に記載の方法では、１つの操作子に１つの機器が対応する。しかしながら、複数の機器がある場合、１つの操作子に１つの機器を対応させられるとは限らない。例えば、複数の録画機器があるにもかかわらず、リモコンには１つの録画ボタンしかない場合を考えると、録画ボタンに１つの録画機器を対応させてしまうと、他の録画機器に録画指示を行なえなくなってしまう。
【０００７】
一方、特許文献２に記載の装置は、表示される機器を絞込むことにより、機器の選択制御を容易にしている。しかし、この絞込みは、十分でないおそれがある。例えば、利用者が、録画を行ないたいのに、接続された再生機器までも表示されるといった状況が起きうる。
【０００８】
本発明は、上記のような問題を解決するためになされたものであって、ユーザが操作したい機器を正確に選択できるようにするテレビを提供することを課題とする。
【課題を解決するための手段】
【０００９】
１つの局面に係る本願発明は、複数の機器に接続可能なテレビであって、各機器に各機器を操作するための情報であって各機器の動作の種類を指定する情報である指示を伝達するケーブルをそれぞれに接続可能な複数の端子と、外部から複数種類の指示を受け付ける入力部と、ディスプレイと、情報を格納する記憶部とをさらに備え、情報は、各機器を特定するための特定情報と各機器の種類とを対応付けた機器情報と、各指示と各指示の送信先となる機器の種類とを対応付けた送信先情報とを含み、テレビの動作を制御する制御部をさらに備え、制御部は、機器情報および送信先情報を参照して、複数の機器の中から、入力部が受け付けた指示の送信先機器を決定し、ケーブルは、テレビと各機器との間で相互に制御メッセージを送信可能であり、制御メッセージを送信先機器に送信するメッセージ送信部と、制御メッセージを複数の機器から受信するメッセージ受信部とをさらに備え、メッセージ送信部は、記憶部に格納された情報において、指示によって特定される操作に関係する機器の種類に対応付けられたすべての送信先情報に問い合わせメッセージを送信し、制御部は、問い合わせメッセージの送信先からのメッセージ受信部の受信結果に基づいて、送信先機器の中から、指示に対応する制御メッセージへの応答メッセージを受信した送信先機器の特定情報をディスプレイに表示させ、ケーブルは、ＨＤＭＩケーブルであって、送信先情報は、各指示と対応付けて、送信先となる機器がＨＤＭＩ規格の機器かどうかを指定する情報をさらに含み、制御部は、機器情報および送信先情報を参照して、送信先機器を、ＨＤＭＩケーブルで接続された機器の中から決定する。
【００１２】
好ましくは、制御部は、ディスプレイに、送信先機器を選択可能に表示させる。
【発明の効果】
【００１３】
本発明によれば、指示に対応する種類の機器を選択的にテレビのディスプレイに表示することができる。その結果、ユーザによる操作したい機器の正確な選択を可能とする。
【発明を実施するための最良の形態】
【００１４】
以下、図面を参照しつつ、本発明の実施の形態について説明する。以下の説明では、同一の部分には同一の符号を付してある。それらの名称および機能も同じである。したがってそれらについての詳細な説明は繰り返さない。
【００１５】
（１．ハードウェア構成）
図１を参照して、本発明に係るテレビ１００の構成について説明する。図１は、本発明に係るテレビ１００のハードウェアブロック図である。
【００１６】
テレビ１００は、第１のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート１１０ａと、第２のＨＤＭＩポート１１０ｂと、ＨＤＭＩ送受信機１２０と、リモコン受光部１３０と、メインマイコン１４０と、ＲＯＭ（ｒｅａｄ−ｏｎｌｙ  ｍｅｍｏｒｙ）１５０と、ＲＡＭ（ｒａｎｄｏｍ−ａｃｃｅｓｓ  ｍｅｍｏｒｙ）１６０と、ＬＶＤＳ（ｌｏｗ  ｖｏｌｔａｇｅ  ｄｉｆｆｅｒｅｎｔｉａｌ  ｓｉｇｎａｌｉｎｇ）トランスミッタ１７０と、ディスプレイ１８０と、スピーカ１９０とを備える。
【００１７】
第１のＨＤＭＩポート１１０ａおよび第２のＨＤＭＩポート１１０ｂには、ＨＤＭＩケーブルが接続される。ＨＤＭＩケーブルを介して、テレビ１００は他の機器と接続される。なお、ポートの数は、２つに限られるわけではなく、３つ以上であってもよい。また、リピータデバイスなどによって、１つのポートに複数の機器が接続されるのであれば、１つのポートしか持たないテレビにも本発明は適用できる。ここで、リピータデバイスとは、ＨＤＭＩの入力端子と出力端子を持ち、ＨＤＭＩ信号を分配する機能を持つ機器のことである。
【００１８】
ここで、テレビ１００およびＨＤＭＩケーブルを介してテレビ１００に接続される機器は、ＨＤＭＩ規格に対応する機器（以下、ＨＤＭＩ機器）であるとする。ＨＤＭＩ機器は、ＨＤＭＩケーブルを介して接続先のＨＤＭＩ機器に制御メッセージのやり取りを行ない、相互制御できるＣＥＣ（Ｃｏｎｓｕｍｅｒ  Ｅｌｅｃｔｒｏｎｉｃｓ  Ｃｏｎｔｒｏｌ）機能を有する。なお、この機能は、ＨＤＭＩ  Ｌｉｃｅｎｓｉｎｇ，ＬＬＣが発行するＨＤＭＩ  Ｓｐｅｃｉｆｉｃａｔｉｏｎに定義されている。
【００１９】
ＨＤＭＩ送受信機１２０は、接続された機器にＨＤＭＩケーブルを介して制御メッセージやコンテンツ（動画データ、音声データなど）を送信する。また、接続された機器からＨＤＭＩケーブルを介して制御メッセージやコンテンツを受信する。
【００２０】
リモコン受光部１３０は、利用者がリモコン１３５に入力した複数種類の指示を受け付ける。指示の種類は、リモコン１３５のキー操作に応じて決定される。なお、リモコン受光部１３０は、利用者の指示を受け付ける入力部の一例であり、他の構成もとりうる。例えば、テレビ１００の本体に操作キーが備えられていても構わない。
【００２１】
メインマイコン１４０は、リモコン受光部１３０が受け付けた指示等に基づいて、テレビ１００の各部の動作を制御する。
【００２２】
ＲＯＭ１５０は、メインマイコン１４０を動作させるプログラム等を格納する。ＲＡＭ１６０は、コンテンツ等各種情報を格納する。
【００２３】
ＬＶＤＳトランスミッタ１７０は、メインマイコン１４０からの信号に基づいて、差動信号を送信する。ディスプレイ１８０は、ＬＶＤＳトランスミッタ１７０からの信号に基づいて、動画あるいは静止画像を表示する。
【００２４】
スピーカ１９０は、メインマイコン１４０からの信号に基づいて、音声を外部に出力する。
【００２５】
（２．動作の概要）
図２および図３を参照して、本実施の形態に係るテレビ１００の動作の概要について説明する。
【００２６】
図２および図３に示すテレビ１００は、ＨＤＭＩケーブル２４０およびリピータデバイス２５０を介して、第１の録画機器２１０（機器名を「録画機器１」とする）および第２の録画機器２２０（機器名を「録画機器２」とする）のそれぞれに接続される。また、テレビ１００は、ＨＤＭＩケーブル２４０を介して、再生機器２３０（機器名を「再生機器１」とする）に接続される。
【００２７】
テレビ１００は、ＣＥＣ機能を有するＨＤＭＩ機器であるため、テレビのリモコン１３５のボタンが押されると、押されたボタンに対応するコマンドをＨＤＭＩケーブル２４０を介して、接続された各機器に送信する。例えば、録画ボタンが押されると、録画機器に録画命令コマンドを送信し、録画機器に録画を開始させられる。ＣＥＣ機能は、このようにテレビ１００のリモコン１３５から他の機器を操作できるという点で、ユーザの利便性を向上する。
【００２８】
しかしながら、テレビに接続されている同一種類の機器が複数ある場合、ユーザにはどの機器が操作されるのかが分かりにくい。
【００２９】
そこで、本発明では、コマンドに対応する種類の機器をリスト表示し、リストの中からユーザが機器を選択するようにすることで、この問題を解決する。
【００３０】
図２は、テレビ１００のリモコン１３５の録画ボタンが押された場合の図である。録画ボタンが押されたことに対応して、テレビ１００は、録画に関係する機器の機器名を表示する。また、録画に関係する機器の接続ポート名を表示する。図２中の「ＨＤＭＩ１−１」とは、第１の録画機器２１０が、第１のＨＤＭＩポート１１０ａに接続され、リピータデバイスの第１のポートに接続されていることを表わす。リピータデバイスを介さずに、直接、機器がテレビ１００の第１（または２）ポートに接続されている場合、「ＨＤＭＩ１（または２）」と表示されるものとする。
【００３１】
なお、機器名や接続ポート名は、機器を特定するための情報の一例であり、表示される情報はこれらに限られるわけではない。これらのうち一方の情報を用いてもよいし、その他の情報を表示してもよい。
【００３２】
一方、図３は、テレビ１００のリモコン１３５の再生ボタンが押された場合の図である。再生ボタンが押されたことに対応して、テレビ１００は、再生に関係する機器の機器名が表示される。なお、録画機器１、録画機器２が表示されているのは、本実施の形態において、第１の録画機器２１０および第２の録画機器２２０が、録画だけでなく再生も行なうもの、例えば、ＤＶＤを再生できるＨＤＤ付ＤＶＤレコーダなどであるとしているためである。
【００３３】
（３．表示機器の決定）
テレビ１００は、各機器と各機器の種類とを対応付けた機器情報、および、各指示と各指示の送信先となる機器の種類とを対応付けた送信先情報に基づいて、ユーザがリモコン１３５のキーを押したときに、ディスプレイ１８０に表示する機器を決定する。
【００３４】
なお、表示する機器を決定するトリガーは、リモコンキーの操作に限られない。リモコン１３５は、外部からの指示を受け付ける入力部の一例である。例えば、テレビ１００に備えられたボタンの操作に応じて、ディスプレイ１８０に表示される機器が決定される構成であってもよい。
【００３５】
機器情報は、特にこれに限られるわけではないが、ＨＤＭＩ規格で定まる論理アドレスや物理アドレスを用いて定めることができる。
【００３６】
論理アドレスについて、図４を参照して説明する。論理アドレスは、ＨＤＭＩのＣＥＣ機能を用いるために必要である。図４に示すように、各機器には、その種類に応じた論理アドレスが割り当てられる。図４に示したアドレス表は、ＨＤＭＩ  Ｓｐｅｆｉｃａｔｉｏｎ  Ｖｅｒｓｉｏｎ  １．３ａ  Ｓｕｐｐｌｅｍｅｎｔ  １  Ｃｏｎｓｕｍｅｒ  Ｅｌｅｃｔｒｏｎｉｃｓ  Ｃｏｎｔｒｏｌに記述されたものである。
【００３７】
例えば、テレビ（図４中の「ＴＶ」）には、論理アドレス「０」が割り当てられる。また、オーディオシステム（図４中の「Ａｕｄｉｏ  Ｓｙｓｔｅｍ」）には、論理アドレス「５」が割当てられる。
【００３８】
１つの機器に複数接続されることが想定される機器には、複数の論理アドレスが準備されている。例えば、録画機器（図４中の「Ｒｅｃｏｒｄｉｎｇ  Ｄｅｖｉｃｅ」）には、論理アドレス「１」「２」「９」が、順次、割り当てられる。すなわち、録画機器が接続されたが、すでに、論理アドレス「１」が他の機器に割り当てられている場合、新たに接続された録画機器には、論理アドレス「２」が割り当てられる。論理アドレス「９」についても同様である。
【００３９】
このように、論理アドレスは機器の種類についての情報を含むため、テレビ１００は、論理アドレスに基づいて、表示する機器を決定することができる。
【００４０】
一方、物理アドレスは、各機器の種類に対応して、各機器に割り当てられる。図５を参照して物理アドレスについて説明する。図５には、第１のＨＤＭＩ入力ポート５４０および第２のＨＤＭＩ入力ポート５５０を備えるテレビ５１０と、テレビ５１０に第１のＨＤＭＩ入力ポート５４０およびＨＤＭＩケーブル５６０を介して接続されているＤＶＤプレーヤ５２０と、テレビ５１０に第２のＨＤＭＩ入力ポート５５０およびＨＤＭＩケーブル５６０を介して接続されているＤＶＤレコーダ５３０とを示す。
【００４１】
物理アドレスは、４ビットずつ４桁に区切られた識別番号であり、“０．０．０．０”などのように表現される。図５では、テレビ５１０の物理アドレスは「０．０．０．０」、ＤＶＤプレーヤ５２０の物理アドレスは「１．０．０．０」、ＤＶＤレコーダの物理アドレス５３０は、「２．０．０．０」であるとしている。映像信号出力機器（図５では、ＤＶＤプレーヤ５２０やＤＶＤレコーダ５２０）は、ＤＤＣ（１２Ｃ）ラインおよびＨＤＭＩ端子を介して映像信号受信機器（図５では、テレビ５１０）のＥＤＩＤを読み出すことで、自身の物理アドレスを取得する。
【００４２】
物理アドレスは各ＨＤＭＩ機器に設定されており、ＣＥＣコマンドの１つである［Give  device  physical  address］コマンドを用いることで、各機器から取得できる。
【００４３】
一般には、ＣＥＣ機能の利用にあたって命令の送信元および送信先を決定するためには、論理アドレスが用いられるため、論理アドレスを機器情報として用いればよい。
【００４４】
ただ、論理アドレスは、接続される機器が多い場合、機器の種類と完全には対応しない。例えば、４台以上録画機器が接続されている場合、３つまでの録画機器には、機器が録画機器であることが分かる論理アドレスが割り当てられるが、残りの録画機器に割当てられる論理アドレスは、対応する機器が録画機器であると表わすものにはならない。
【００４５】
物理アドレスを論理アドレスに併用すれば、上述の問題を避けることができる。物理アドレスは、各機器と１対１に対応する。したがって、論理アドレスに加えて、物理アドレスを用いれば、表示する機器を確実に決定することができる。
【００４６】
メインマイコン１４０は、物理アドレスまたは論理アドレスに対応する実際の機器を特定するための情報（機器名、ポート名など）と、物理アドレスまたは論理アドレスに対応する機器の種類とから、機器情報を作成して、ＲＡＭ１６０に格納する。
【００４７】
送信先情報の一例を図６に示す。送信先情報は、リモコンキーの番号と、コマンドの送信先がＨＤＭＩポートであるかどうかの情報と、送信種別とからなる。送信先情報は、予めＲＯＭ１５０に格納されているものとする。送信先情報が予め登録されていることで、ユーザは、情報登録の手間をかけなくてもよくなる。ただし、送信先情報は、ユーザ操作により、登録・変更されるように書き換え可能な記録媒体に格納されていてもよい。
【００４８】
本実施の形態では、押されたリモコンキーの番号により、外部機器に送信されるコマンドが特定されるとしているため、送信先情報にリモコンキーの番号を含めている。ただし、コマンドを特定する情報はこれに限られず、コマンド送信のトリガーとして何を用いるかによる。
【００４９】
なお、「リモコンキーの番号」は、実際に存在する１つのキーに対応するものでなくてもよい。キー操作の組み合わせを、いわば仮想的な、「リモコンキーの番号」とみなしてもよい。
【００５０】
送信種別は、コマンドの送信先の機器の種類を指定する情報である。図６でいえば、リモコンキー「０」の送信種別は、「１」であり、リモコンキー「０」に対応するコマンドは、プレーヤ（再生機器）のみに送信されることが分かる。また、リモコンキー「１」の送信種別は、「２」であり、リモコンキー「１」に対応するコマンドは、レコーダ（録画機器）およびプレーヤに送信されることが分かる。他のコマンドについても同様である。
【００５１】
メインマイコン１４０は、リモコン受光部１３０がリモコン１３５から指示を受け付けると、機器情報および送信先情報を参照して、受け付けた指示に対応する種類の機器を特定する情報を、ディスプレイ１７０に表示させる。
【００５２】
（４．処理の流れ）
図７を参照して、コマンド受信時に、メインマイコン１４０が行なう処理の流れについて説明する。
【００５３】
ステップＳ７０１において、メインマイコン１４０は、ＲＯＭ１５０に記憶されている送信先情報に基づいて、コマンドの宛先がＨＤＭＩポートかどうか判断する。
【００５４】
コマンドの宛先がＨＤＭＩポートでない場合（ステップＳ７０１においてＮｏ）、メインマイコン１４０は、ステップＳ７０３において、宛先の機器にコマンドを送信する。
【００５５】
コマンドの宛先がＨＤＭＩポートである場合（ステップＳ７０１においてＹｅｓ）、メインマイコン１４０は、ステップＳ７０５において、送信種別から、以降の処理におけるメッセージ送信の対象となる検索機器を決定する。
【００５６】
ステップＳ７０７において、メインマイコン１４０は、コマンドに関係する全機器、すなわち、ステップＳ７０５において決定された検索機器の全てに、問い合わせメッセージを送信したかどうか判断する。
【００５７】
コマンドに関係する全機器にメッセージを送信していない場合（ステップＳ７０７においてＮｏ）、メインマイコン１４０は、ＨＤＭＩ送受信機１２０に、コマンドに関係する機器のうち、まだメッセージを送信していないものに、問い合わせメッセージを送信させる。
【００５８】
ステップＳ７１１において、メインマイコン１４０は、ステップＳ７０９においてメッセージを送信した機器から応答があったかどうか判断する。具体的には、ＨＤＭＩ送受信機１２０が、問い合わせメッセージに対する応答メッセージを受信したかどうかを判断する。
【００５９】
機器から応答がある場合（ステップＳ７１１においてＹｅｓ）、メインマイコン１４０は、応答した機器をＲＡＭ１６０に格納されるリストに登録する。そして、ステップＳ７０７からの処理に戻る。
【００６０】
機器から応答がない場合（ステップＳ７１１においてＮｏ）、メインマイコン１４０は、機器のリスト登録を行なわず、ステップＳ７０７からの処理に戻る。
【００６１】
メインマイコン１４０は、ステップＳ７１５において、ディスプレイ１８０に、リストに登録された機器を表示させる。ここで、各機器は、利用者により選択可能に表示されるものとする。
【００６２】
メインマイコン１４０は、ステップＳ７１７において、リモコン受光部１３０が受け付けたリモコン１３５からの指示に基づいて、表示された機器の中からコマンドの送信先の機器を決定する。
【００６３】
メインマイコン１４０は、ステップＳ７１９において、ＨＤＭＩ送受信機１２０に、ステップＳ７１７で決定された機器に、コマンドを送信させる。
【００６４】
ステップＳ７１５で表示される機器の種類は、すべてコマンドに対応する。よって、表示された機器の中のどの機器も、コマンドを受け付けたにもかかわらず所望の動作をしない、といったことがない。
【００６５】
したがって、ユーザは、表示された機器の中から機器を選択することで、操作したい機器を正確に選択できる。
【００６６】
さらに、本実施の形態では、ステップＳ７０９からステップＳ７１３までの処理により、メッセージへの応答がない機器を、リストに含めないようにしている。この処理は必ずしも必須ではないが、この処理により、ユーザの機器選択をさらに正確にすることができる。
【００６７】
応答がない機器は、テレビ１００との接続が切断されていたり、電源が切られているものと考えられる。よって、応答がない機器にはコマンドが送信できない。このような機器を表示しないこととすることで、利用者は、操作したい機器をより正確に選択できる。
【００６８】
また、コマンドに関係する全機器をリスト表示する構成に比べ、表示される機器が少なくなるので、ユーザは、操作したい機器を選択しやすくなる。
【００６９】
さらに、本実施の形態では、ステップＳ７０１の処理により、宛先がＨＤＭＩポートでない機器をリスト表示から外している。ＨＤＭＩポートに接続されていない機器は、そもそも、テレビ１００との相互制御ができないため、応答メッセージが返されることがない。そこで、ＨＤＭＩポートに接続されていない機器に対しては、ステップＳ７０９からステップＳ７１３までの処理を行なわないことで、処理を簡略化している。
【００７０】
（５．その他）
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７１】
【図１】本発明に係るテレビ１００のハードウェアブロック図である。
【図２】テレビ１００の動作の一例を説明するための図である。
【図３】テレビ１００の動作の他の例を説明するための図である。
【図４】論理アドレスを説明するための図である。
【図５】物理アドレスを説明するための図である。
【図６】本実施の形態に係る送信先情報の一例を示す図である。
【図７】コマンド受信時の処理の流れを示すフローチャートである。
【符号の説明】
【００７２】
１００  テレビ、１１０ａ  第１のＨＤＭＩポート、１１０ｂ  第２のＨＤＭＩポート、１２０  ＨＤＭＩ送受信機、１３０  リモコン受光部、１３５  リモコン、１４０  メインマイコン、１５０  ＲＯＭ、１６０  ＲＡＭ、１７０  ＬＶＤＳトランスミッタ、１８０  ディスプレイ、１９０  スピーカ、２１０  第１の録画機器、２２０  第２の録画機器、２３０  再生機器、２４０  ＨＤＭＩケーブル、５１０  テレビ、５２０  ＤＶＤプレーヤ、５３０  ＤＶＤレコーダ、５４０  第１のＨＤＭＩポート、５５０  第２のＨＤＭＩポート、５６０  ＨＤＭＩケーブル。
【図１】
0004706712.tif 000002
【図２】
0004706712.tif 000003
【図３】
0004706712.tif 000004
【図４】
0004706712.tif 000005
【図５】
0004706712.tif 000006
【図６】
0004706712.tif 000007
【図７】
0004706712.tif 000008